(57)【要約】【課題】制御基板上の各電子素子等の状態の確認作業を阻害することなく、正規のＲＯＭが裏ＲＯＭ又は不正ＲＯＭと呼ばれるものに不正に差し替えられてしまうこと等の不正行為をより確実に防止する。【解決手段】リールユニット装置１００のフレーム体１２０Ａを、回胴装置１１０の基板１１５と筐体２内部に固定される台座１２０とで構成し、そのフレーム体１２０Ａにより、回胴装置１１０が検査済みの正規のＲＯＭを搭載している主制御基板ユニット５０内の主制御基板の確認を妨げる位置とその主制御基板の確認を妨げない位置との間でスライド自在とされるようにし、たとえば正規のＲＯＭが裏ＲＯＭ又は不正ＲＯＭと呼ばれるものに不正に差し替えられるまでに、前扉を不正に開ける行為と、回胴装置１１０を筐体２の内部から不正に引き出す行為とが必要となるようにした。【選択図】図１４
2008167769.tif 000002
【特許請求の範囲】
【請求項１】
前面側に開口を有する中空箱形の筐体と、
該筐体に開閉可能に取り付けられ前記開口を覆う前扉と、
遊技機内部の各種電子部品を制御する制御基板を収容する基板ケースと、
複数の図柄が付された複数のリールを有する回胴装置と
を有する遊技機であって、
前記基板ケースを筐体内部に配置し、
前記回動装置を前記基板ケースの確認を妨げる位置に配置し、
さらに前記回胴装置を、前記主制御基板の確認を妨げる位置と該主制御基板の確認を妨げない位置との間でスライド自在とするスライド手段を備える
ことを特徴とする遊技機。
【請求項２】
前記スライド手段は、
前記リールを個々に回転可能に取り付けるユニット板を取り付けるための基板と、
前記筐体内部に固定され、前記基板を引き出し及び押し戻し自在に載置する台座とを備える
ことを特徴とする請求項１に記載の遊技機。
【請求項３】
前記台座には、前記筐体の内部から開口側に向けて延びるガイド溝を有するガイド片が並設され、
前記基板の両側には、前記ガイド溝に係合して引き出し方向及び押し戻し方向にガイドされるガイド軸が設けられている
ことを特徴とする請求項２に記載の遊技機。
【請求項４】
前記基板には、ロック片を有する把持レバーが垂直位置と水平位置との間で回動自在となるように取り付けられ、
前記台座には、前記ロック片を係合するロック穴が設けられ、
前記基板が前記台座の所定位置に押し戻されるとき、前記ロック片が前記ロック穴を通過し、前記把持レバーを垂直位置又は水平位置に回動させると、前記ロック片が前記ロック穴の背面側に係合される
ことを特徴とする請求項２又は３に記載の遊技機。
【請求項５】
前記ガイド溝は、引き出し終了位置に合わせた引出終了端部と、押し戻し終了位置に合わせた押戻終了端部とを有し、
前記基板の引き出し又は押し戻しに伴い前記ガイド軸が前記引出終了端部又は前記押戻終了端部に当接することで、前記基板の引き出しの終了位置又は前記基板の押し戻しの終了位置とが規制されている
ことを特徴とする請求項３又は４に記載の遊技機。
【請求項６】
前記ガイド溝の引出終了端部は、前記台座の面より突出する位置となるように設けられ、
前記ガイド軸が前記引出終了端部に係合することで、前記基板の水平位置から下方位置への回動が許容される
ことを特徴とする請求項５に記載の遊技機。
【発明の詳細な説明】
【技術分野】
【０００１】
本発明は、不正行為の防止に適した遊技機に関する。
【背景技術】
【０００２】
遊技機の一種として回胴式遊技機である、たとえばスロットマシンがある。スロットマシンは、複数の図柄が付された回転体としての複数のリールを備え、遊技者がメダルを投入してスタートレバーを操作することで各リールが回転を開始する。各リールが回転を開始した後、ストップボタンを操作したり所定時間が経過したりすることで、各リールが順次停止する。
【０００３】
また、スロットマシンでは、メダル（又はコインとも呼ばれている）の投入とスタートレバーの操作を条件として抽選を行い、その抽選結果が当選であり、かつ予め設定された有効ライン上に遊技者が当選した図柄を停止させることを条件として所定枚数のメダルが払い出されたり、遊技者に有利な特別遊技状態（ボーナスゲーム等）が発生する。
【０００４】
また、このようなスロットマシンは、前面側に開口を有する箱形の筐体と、この筐体の前面側に開閉自在に取り付けられた前扉とを備え、筐体の内部に遊技構成装置が配設されて、前扉が開口を覆う状態で遊技に供されるようになっている。また、その筐体の内部には、スロットマシンの各部に電力を供給するための電源装置が設けられており、この電源装置から供給される電力によりスロットマシンが作動するようになっている。
【０００５】
ところで、このようなスロットマシンでは、ゲームの演出に係る制御を主に行う副制御基板と、リールの回転駆動を制御する回胴装置基板と、ベットボタン、スタートレバー及びストップボタンによる操作信号を転送する中央表示基板と、各駆動部等への電力供給を制御する電源装置基板とを備え、これらの基板は主制御基板により集中制御されている。
【０００６】
また、主制御基板には、システムプログラムやスロットマシンゲーム用のプログラム等が書き込まれているＲＯＭ（Ｒｅａｄ  Ｏｎｌｙ  Ｍｅｍｏｒｙ）、このＲＯＭから所定のプログラムを読み出して所定の制御を行うＣＰＵ（Ｃｅｎｔｒａｌ  Ｐｒｏｃｅｓｓｉｎｇ  Ｕｎｉｔ）、このＣＰＵによる演算結果等を保持するＲＡＭ（Ｒａｎｄｏｍ  Ａｃｃｅｓｓ  Ｍｅｍｏｒｙ）等の電子素子等が搭載されており、ゲームの進行に合わせそのＲＯＭから読み出したプログラムに基づき、上述した各種基板による制御が指示されるようになっている。
【０００７】
ところで、主制御基板に搭載されている上述した特にＲＯＭは、定期的な検査等のために基板上のコネクタに着脱自在となるように装着されている。また、上述した各電子素子等は、筐体の外部から内部に挿入されるセルや針金等の不正行為治具によって不正に弄られないように、本体ケースと上蓋ケースとの間に挟持されたユニット構成とされている。また、その上蓋ケースは、ホールスタッフ等により主制御基板上の各電子素子等の状態が確認し易いように透明なプラスチックで形成されている。さらに、その上蓋ケースは、法規制により検査済みシールが貼着されて封印されているとともに、本体ケースと上蓋ケースとがカシメ状態で結合する接続部材を介してカシメ結合され、上蓋ケースが開けられないようになっている。
【０００８】
また、主制御基板は、通常、筐体内部を正面から見たとき、所定数の図柄が付された３個のリールを有する回胴装置の上方に位置するように筐体内面に取り付けられている。これは、スロットマシンの構成上、筐体内部のほぼ中央寄りにその回胴装置が配置され、回胴装置の下方にメダルの払い出し等を行うホッパ装置や電源を供給する電源装置等が配置されるようになっており、主制御基板の状態を前扉を開けて確認し易い位置が回胴装置の上方となるためである。
【０００９】
また、主制御基板を、回胴装置の上方に位置するように筐体内面に取り付けることで、前扉側から見てその位置が最も遠くなり、しかも主制御基板が本体ケースと上蓋ケースとの間に挟持されたユニット構成とされていることで、筐体の外部から内部に挿入されるセルや針金等の不正行為治具によって主制御基板上の各種電子素子等が不正に弄られないような対策もとることができるようになっている。
【００１０】
ところが、主制御基板に対して上述のようにセルや針金等の不正行為治具による不正行為に対する様々な対策が講じられているにも関わらず、たとえば遊戯中等に前扉が不正に開けられ、主制御基板上のＲＯＭが不正にプログラムの内容が書き換えられた、いわゆる裏ＲＯＭ又は不正ＲＯＭと呼ばれるものに差し替えられてしまうことがある。さらに、不正な制御基板が収容された基板ケースが現在使用されている基板ケースと差し替えられてしまうことがある。
【００１１】
これは、筐体内部における主制御基板が上述した上蓋ケースによって覆われているが、前扉が不正に開けられてしまうと、その主制御基板が回胴装置の上方、すなわち手で触ることができる位置に取り付けられているからである。特に、上蓋ケースは、検査済みシールによって封印され、さらに上述したカシメ結合により上蓋ケースが開けられないようになっているにも関わらず、ホールスタッフ等により主制御基板上の各電子素子等の状態が確認し易いように透明なプラスチックで形成されているため、半田ごて等の熱によって穴が開けられやすいためでもある。
【００１２】
なお、上蓋ケースに開けられた穴から検査済みのＲＯＭが裏ＲＯＭ又は不正ＲＯＭと呼ばれるものに差し替えられた場合、その開けられた穴を確認することで、裏ＲＯＭ又は不正ＲＯＭと呼ばれるものに差し替えられたことを確認できるが、その穴は不正に作成された偽造シールで覆うような偽装が施されていることがある。このような偽造シールで覆うような偽装が施されていると、スロットマシンの内部構成に詳しいホールスタッフ等が確認すればその偽装にすぐに気づくことができるが、スロットマシンの内部構成に詳しくないホールスタッフ等が確認した場合、その偽装に気づかずにいることがある。
【００１３】
このようにして、検査済みのＲＯＭが裏ＲＯＭ又は不正ＲＯＭと呼ばれるものに不正に差し替えられてしまうと、たとえば上述した特別遊技状態（ボーナスゲーム等）が半ば強制的に発生させられてしまい、不正にコインの払い出しが行われてしまうということを招いてしまう。
【００１４】
このような主制御基板のＲＯＭの差し替えによる不正行為を防止するためには、たとえば特許文献１に示されているパチンコ機のように、パチンコ機毎の特有な制御プログラムが書き込まれたＲＯＭチップを搭載しているコントロール基板を、役物装置におけるケースの背面に取り付け、さらにそのコントロール基板を背面蓋と側面蓋とで覆うようなことが考えられる。
【００１５】
ところが、このようなことを上述したスロットマシンに適用しようとすると、主制御基板を筐体内部のほぼ中央に位置する回胴装置の背面側に取り付けることになり、少なくとも一日に一回は行われるホールスタッフ等による主制御基板上の各電子素子等の状態の確認が行えなくなってしまう。
【００１６】
この場合、たとえば特許文献２に示されているスロットマシンのように、リールユニットを上部ユニット用フレームに着脱自在に装着できるようにし、リールユニットを上部ユニット用フレームに装着した場合、リール固定手段で固定しておくようにすれば、リールユニットの背面側に上述した主制御基板を配置しても、リールユニットを上部ユニット用フレームから取り外すことで、ホールスタッフ等による主制御基板上の各電子素子等の状態の確認を行うことができるものと考えられる。
【００１７】
【特許文献１】特開２００１−０５８０３３号公報
【特許文献２】特開２００４−１６０１５８号公報
【発明の開示】
【発明が解決しようとする課題】
【００１８】
このように、上述した特許文献２のスロットマシンのように、回胴装置であるリールユニットを上部ユニット用フレームに着脱自在に装着できるようにし、リールユニットの背面側に上述した主制御基板を配置しておくようにすれば、筐体の前扉が不正に開けられても、その主制御基板に手が届かないため、検査済みのＲＯＭが裏ＲＯＭ又は不正ＲＯＭと呼ばれるものに不正に差し替えられてしまうことがなくなるものと考えられる。さらに、不正な制御基板が収容された基板ケースが現在使用されている基板ケースと差し替えられてしまうこともなくなると考えられる。
【００１９】
また、リールユニットを上部ユニット用フレームに着脱自在に装着できるようにしておけば、少なくとも一日に一回は行われるホールスタッフ等による主制御基板上の各電子素子等の状態の確認を行えるものと考えられる。
【００２０】
ところが、上部ユニット用フレームに着脱自在とされる回胴装置であるリールユニットは比較的重量があり、主制御基板上の各電子素子等の状態の確認を少なくとも一日に一回行うために、リールユニットをその都度上部ユニット用フレームから取り外すことは非常に困難を伴う作業となってしまう。
【００２１】
このようなことから、少なくとも一日に一回は行われる主制御基板上の各電子素子等の状態の確認作業を阻害することなく、検査済みのＲＯＭが裏ＲＯＭ又は不正ＲＯＭと呼ばれるものに不正に差し替えられてしまうことや、不正な制御基板が収容された基板ケースが現在使用されている基板ケースと差し替えられてしまうような不正行為をより確実に防止できる装置の開発が望まれていた。
【００２２】
本発明は、このような状況に鑑みてなされたものであり、少なくとも一日に一回は行われる主制御基板上の各電子素子等の状態の確認作業を阻害することなく、検査済みのＲＯＭが裏ＲＯＭ又は不正ＲＯＭと呼ばれるものに不正に差し替えられてしまうことや、不正な制御基板が収容された基板ケースが現在使用されている基板ケースと差し替えられてしまうような不正行為をより確実に防止することができる遊技機を提供することを目的とする。
【課題を解決するための手段】
【００２３】
本発明の遊技機は、前面側に開口を有する中空箱形の筐体と、該筐体に開閉可能に取り付けられ前記開口を覆う前扉と、遊技機内部の各種電子部品を制御する制御基板を収容する基板ケースと、複数の図柄が付された複数のリールを有する回胴装置とを有する遊技機であって、前記基板ケースを筐体内部に配置し、前記回動装置を前記基板ケースの確認を妨げる位置に配置し、さらに前記回胴装置を、前記主制御基板の確認を妨げる位置と該主制御基板の確認を妨げない位置との間でスライド自在とするスライド手段を備えることを特徴とする。
【００２４】
また、前記スライド手段は、前記リールを個々に回転可能に取り付けるユニット板を取り付けるための基板と、前記筐体内部に固定され、前記基板を引き出し及び押し戻し自在に載置する台座とを備えるようにしてもよい。
【００２５】
また、前記台座には、前記筐体の内部から開口側に向けて延びるガイド溝を有するガイド片が並設され、前記基板の両側には、前記ガイド溝に係合して引き出し方向及び押し戻し方向にガイドされるガイド軸が設けられているようにしてもよい。
【００２６】
また、前記基板には、ロック片を有する把持レバーが垂直位置と水平位置との間で回動自在となるように取り付けられ、前記台座には、前記ロック片を係合するロック穴が設けられ、前記基板が前記台座の所定位置に押し戻されるとき、前記ロック片が前記ロック穴を通過し、前記把持レバーを垂直位置又は水平位置に回動させると、前記ロック片が前記ロック穴の背面側に係合されるようにしてもよい。
【００２７】
また、前記ガイド溝は、引き出し終了位置に合わせた引出終了端部と、押し戻し終了位置に合わせた押戻終了端部とを有し、前記基板の引き出し又は押し戻しに伴い前記ガイド軸が前記引出終了端部又は前記押戻終了端部に当接することで、前記基板の引き出しの終了位置又は前記基板の押し戻しの終了位置とが規制されているようにしてもよい。
【００２８】
また、前記ガイド溝の引出終了端部は、前記台座の面より突出する位置となるように設けられ、前記ガイド軸が前記引出終了端部に係合することで、前記基板の水平位置から下方位置への回動が許容されるようにしてもよい。
【００２９】
本発明の遊技機では、スライド手段により、回胴装置が少なくとも遊技機内部の各種電子部品を制御する基板ケース内の制御基板の確認を妨げる位置とその制御基板の確認を妨げない位置との間でスライド自在とされるようにしたので、主要ＲＯＭである検査済みのＲＯＭが裏ＲＯＭ又は不正ＲＯＭと呼ばれるものに不正に差し替えられたり、不正な制御基板が収容された基板ケースが現在使用されている基板ケースと差し替えられたりするまでに、前扉を不正に開ける行為と、回胴装置を筐体の内部から不正に引き出す行為とが必要となり、不正行為を行う者に対してその行為を思い留めさせることができる。
【発明の効果】
【００３０】
本発明の遊技機によれば、スライド手段により、回胴装置が少なくとも遊技機内部の各種電子部品を制御する基板ケース内の制御基板の確認を妨げる位置とその制御基板の確認を妨げない位置との間でスライド自在とされるようにし、主要ＲＯＭである検査済みのＲＯＭが裏ＲＯＭ又は不正ＲＯＭと呼ばれるものに不正に差し替えられるまでに、前扉を不正に開ける行為と、回胴装置を筐体の内部から不正に引き出す行為とが必要となるようにしたので、不正行為を行う者に対しその行為を思い留めさせることができることから、少なくとも一日に一回は行われる制御基板上の各電子素子等の状態の確認作業を阻害することなく、検査済みのＲＯＭが裏ＲＯＭ又は不正ＲＯＭと呼ばれるものに不正に差し替えられてしまうことや、不正な制御基板が収容された基板ケースが現在使用されている基板ケースと差し替えられてしまうような不正行為をより確実に防止することができる。
【発明を実施するための最良の形態】
【００３１】
本実施形態では、スライド手段としてのフレーム体を、回胴装置の基板と筐体内部に固定される台座とで構成し、そのスライド手段により、回胴装置が少なくとも主要ＲＯＭを搭載している主制御基板の確認を妨げる位置とその主制御基板の確認を妨げない位置との間でスライド自在とされるようにした。
【００３２】
これにより、主要ＲＯＭである検査済みのＲＯＭが裏ＲＯＭ又は不正ＲＯＭと呼ばれるものに不正に差し替えられたり、不正な制御基板が収容された基板ケースが現在使用されている基板ケースと差し替えられるまでに、前扉を不正に開ける行為と、回胴装置を筐体の内部から不正に引き出す行為とが必要となるため、不正行為を行う者に対してその行為を思い留めさせることができることから、少なくとも一日に一回は行われる主制御基板上の各電子素子等の状態の確認作業を阻害することなく、検査済みのＲＯＭが裏ＲＯＭ又は不正ＲＯＭと呼ばれるものに不正に差し替えられてしまうことや、不正な制御基板が収容された基板ケースが現在使用されている基板ケースと差し替えられてしまうような不正行為をより確実に防止できる。
【実施例】
【００３３】
以下、本発明の実施例の詳細について説明する。図１は、本発明の遊技機を並設させた、いわゆる遊技機島を示す平面図、図２は図１の遊技機を示す斜視図、図３は図２の遊技機の前扉及び筐体の一部を省いた場合の斜視図である。
【００３４】
これらの図に示すように、回胴式遊技装置と呼ばれる遊技機であるスロットマシン１は、遊技者側に面する、いわゆるフロントマスクを構成する前扉３が略矩形状の箱体である筐体２の開口側に対し蝶番機構２ａにより開閉可能に取り付けられている。このようなスロットマシン１は、図１のように、コイン貸出機４０を挟んで並設され、いわゆる遊技機島を構成している。前扉３は、上パネル部３Ａと下パネル部３Ｂとに概ね分けられ、これらは化粧板として視覚効果を高めてデザインされた硬質プラスチックにより一体的に形成されている。
【００３５】
そして、ホールスタッフ等が後述の主制御基板５１上の各電子素子等の状態の確認を含むメンテナンス作業や出玉管理作業等を行う場合、前扉３のロックを専用鍵を用いて解除すると、図１及び図２のように前扉３が開放されるようになっている。なお、前扉３は、通常、筐体２に対してロックされており、前扉３に設けられている鍵穴に専用鍵を差し込んでそのロックを解除するようになっているが、ここではその詳細についての説明を省略する。
【００３６】
上パネル部３Ａと下パネル部３Ｂとの間には、図１に示すように、遊技者側に若干突出し、ゲームに使用するメダルを投入するための投入口を有するメダル投入部１３や、ゲーム操作を行うためのスイッチ類等である、ベットボタン１４、スタートレバー１５及びストップボタン１６ａ，１６ｂ，１６ｃ等が配置された操作卓４が一体的に設けられている。また、前扉３の下部には、メダルを貯留するための受皿部を形成する受皿ユニット５が設けられている。
【００３７】
ここで、ベットボタン１４は、スロットマシン１の当該ゲームに賭けるメダルの枚数を提示するための押圧式の操作スイッチである。すなわち、ゲーム停止中にメダル投入部１３の投入口からコインを投入すると、その投入枚数に応じてコインがクレジット（最大５０枚まで）されるようになっており、ＭＡＸベットボタンと呼ばれるベットボタン１４を操作すると、そのクレジットされているコインのうち３枚がベットされるようになっている。
【００３８】
また、スタートレバー１５は、リールユニット装置１００の回胴装置１１０の各リール１１１ａ，１１１ｂ，１１１ｃを一斉に回転させる指示をするためのレバースイッチであり、先端に設けられている球形の操作ノブを上下左右のいずれかの方向に傾倒操作するとオン作動し、その操作ノブから手が離されるとスプリングの付勢力によって自動的に元の位置に戻ってオフするように構成されている。なお、リールユニット装置１００の詳細については後述する。
【００３９】
また、ストップボタン１６ａ，１６ｂ，１６ｃは、リールユニット装置１００の回胴装置１１０の各リール１１１ａ，１１１ｂ，１１１ｃの回転停止を個別に指示するための押圧式スイッチであり、各リール１１１ａ，１１１ｂ，１１１ｃの配列に対応してそれぞれ並設されている。
【００４０】
前扉３の上パネル部３Ａには、図１及び図２に示すように、高輝度発光ダイオードを内蔵した上部ランプ６及びサイドランプ７ａ，７ｂが配置され、リーチや大当たり等の際に点灯又は点滅して遊技者の視覚に訴える演出を行っている。また、上パネル部３Ａには、左右にスピーカを内蔵した図示しない演出用放音部が設けられ、これらの演出用放音部によりゲームの進行に応じて選択される効果音や楽音等による演出が行われる。
【００４１】
上パネル部３Ａの中央には、略長方形の透明な表示窓１１ａと、遊技状態等をランプ表示する情報表示部とが形成されたパネル板１１が取り付けられている。そして、図２及び図３に示すように、筐体２内に設けられているリールユニット装置１００の回胴装置１１０の３個の円筒状のリール１１１ａ，１１１ｂ，１１１ｃが表示窓１１ａを通して目視されるように構成されている。
【００４２】
すなわち、筐体２内には、リール１１１ａ，１１１ｂ，１１１ｃを回転軸方向に並設してユニット化した回胴装置１１０が配置され、また、各リール１１１ａ，１１１ｂ，１１１ｃの外周面には、所定数（たとえば２１個）の図柄が付された長尺状のプラスチックシートであるリールテープがそれぞれ捲装されて貼り付けられている。そして、表示窓１１ａ側に臨む縦３個、横３列の図柄が当該表示窓１１ａを通して遊技者側から目視されるように構成されている。
【００４３】
前扉３に形成された下パネル部３Ｂには、スロットマシン１のモデルタイプ等を遊技者へ認識させるため、たとえば登場キャラクターの絵等を表示するパネル１７が設けられている。
【００４４】
受皿ユニット５には、入賞時等においてメダルを排出する図示しないメダル排出口と、スピーカを内蔵しゲームの進行に応じて演出効果音を発生させる図示しない演出効果音部がそれぞれ配設されている。
【００４５】
また、前扉３の裏面上部には、上部ランプ６の光源である複数の高輝度発光ダイオード２０と、上部ランプ６及び図示しないスピーカの制御等、ゲームの演出に係る制御を主に行う図示しない副制御基板とが配設されている。
【００４６】
なお、詳細は後述するが、スロットマシン１全体の動作は、筐体２内部におけるリールユニット装置１００の背面側に設けられている後述の主制御基板５１によって統括制御されている。
【００４７】
また、パネル板１１の下方には、上述した操作卓４に設けられているベットボタン１４、スタートレバー１５、ストップボタン１６ａ，１６ｂ，１６ｃ等のスイッチ類が電気的に接続され、これらスイッチ類の出力信号を後述の主制御基板５１に転送するように配線接続されている図示しない中央表示基板と呼ばれる電気回路（中継）基板が設けられている。
【００４８】
また、その図示しない中央表示基板の下方には、上述のメダル投入部１３より投入される投入物を正規のメダルか異物かを判別して振り分ける図示しないセレクト機構と、その振り分けられたメダルを筐体２内に設けられている後述のホッパ装置３０へ案内する図示しないガイド部材と、セレクト機構で振り分けられた異物を図示しない排出口へ案内する図示しないガイド部材とが設けられている。また、その排出口の両側には、演出効果音を出力する図示しないスピーカ等が取り付けられている。
【００４９】
一方、筐体２内の下段にはホッパ装置３０及び主電源装置６０等が設けられており、筐体２内の上段には上述した回胴装置１１０を備えるリールユニット装置１００が設けられている。
【００５０】
ここで、ホッパ装置３０は、ゲームの入賞に応じてメダルの払い出しを行うものであり、その払い出しされたメダルは上述した受皿ユニット５に貯留されるようになっている。また、ホッパ装置３０から溢れたメダルは、補助貯留部３１に収容されるようになっている。
【００５１】
上述した回胴装置１１０は、図２及び図３に示すように、リール１１１ａ，１１１ｂ，１１１ｃと、これらのリール１１１ａ，１１１ｂ，１１１ｃを回転可能に取り付ける板状のユニット板１１２，１１３，１１４と、これらのユニット板１１２，１１３，１１４をボルト１１４ａを介して取り付ける基板１１５と、これらのユニット板１１２，１１３，１１４をボルト１１４ｂを介して取り付ける天板１１５ａとを備えて構成されている。
【００５２】
なお、これらのユニット板１１２，１１３，１１４、基板１１５及び天板１１５ａはいずれも硬質プラスチックで一体形成されたものである。また、基板１１５は、後述の台座１２０に対して引き出し及び押し戻し自在に載置されるようになっている。
【００５３】
また、各リール１１１ａ，１１１ｂ，１１１ｃはそれぞれのユニット板１１２，１１３，１１４に取り付けられているステッピングモータ１１４ａ（１１２ａ，１１３ａ）によってそれぞれ回転駆動されるようになっている。なお、これらのステッピングモータ１１４ａ（１１２ａ，１１３ａ）は、図示しない回胴装置基板に配線接続され、その回胴装置基板から送出される駆動パルス信号によってそれぞれ回転制御される。
【００５４】
また、筐体２の内部には、後述の主制御基板５１を組み込んだ主制御基板ユニット５０がブラケット部材７０を介して取り付けられている。主制御基板ユニット５０の取り付け位置は、回胴装置１１０の背面側となっているが、その詳細については後述する。また、図３に示す符号１２０Ａは、スライド手段としてのフレーム体であるが、その詳細についても後述する。
【００５５】
図４〜図８は、上述した主制御基板５１を組み込んだ主制御基板ユニット５０説明するための図である。ここで、図４は回胴装置１１０を引き出した状態を示すスロットマシンの斜視図、図５は図４のスロットマシンを示す正面図、図６は回胴装置１１０を押し戻した状態を示すスロットマシンの側面図、図７は図６のスロットマシンを示す正面図、図８は主制御基板５１を組み込んだ主制御基板ユニット５０の概要を説明するための分解斜視図である。
【００５６】
これらの図に示すように、主制御基板５１は、主制御基板ユニット５０に組み込まれ、リールユニット装置１００の回胴装置１１０の背面側に位置するように筐体２の背面側に取り付けられている。
【００５７】
すなわち、図８に示すように、主制御基板ユニット５０は、ブラケット部材７０を介して筐体２の背面側に取り付けられるようになっている。ブラケット部材７０は、主として係合凹部７１ａを有するリブ部７１と、係止アーム７２とを有し、これらによって主制御基板ユニット５０が保持されるようになっている。また、ブラケット部材７０には、後述の接続部材５４を用いて上蓋ケース５３を結合する封止筒部７３が設けられている。また、ブラケット部材７０には、筐体２の背面側に取り付けられるためのねじが挿入される複数のねじ穴７４が設けられている。
【００５８】
一方、主制御基板ユニット５０は、主制御基板５１を挟持する本体ケース５２と上蓋ケース５３とを有している。ここで、本体ケース５２と上蓋ケース５３とで、基板ケースが構成されている。また、主制御基板５１には、ＭＰＵ５１ａ、ＲＯＭ５１ｂ、ＲＡＭ５１ｃ等の電子部品等が実装されている。ここで、ＲＯＭ５１ｂは検査済みである正規のＲＯＭであり、そのＲＯＭ５１ｂにはシステムプログラムやスロットマシンゲーム用のプログラム等が書き込まれている。そのため、ＲＯＭ５１ｂは定期的な検査等のために基板上の図示しないコネクタに着脱自在となるように装着されている。また、主制御基板５１には、スロットマシン１に内蔵される他の制御回路基板、及び電子機器と電気的に接続するための基板側コネクタ５１ｄ，５１ｅが実装されている。
【００５９】
本体ケース５２は、前面が開放する略矩形の箱体として透明なプラスチックで一体形成したものであり、その底板部に小ねじを介して主制御基板５１が結合固定される。また、本体ケース５２の上側壁には、上蓋ケース５３とヒンジ結合するためのヒンジ軸部５２ａが所定の間隔をおいて３カ所に形成されている。また、下側壁には、係止穴を有する２本の係止アーム５２ｂと、上蓋ケース５３をカシメ結合する封止筒部５２ｃが４カ所に形成されている。
【００６０】
上蓋ケース５３は、透明なプラスチックにより一体的に形成された略矩形の蓋体であり、上側壁に本体ケース５２のヒンジ軸部５２ａと位置整合されたヒンジ軸受部５３ａが形成されている。また、上蓋ケース５３には、本体ケース５２の封止筒部５２ｃと位置整合された封止キャップ部５３ｂが形成されている。また、上蓋ケース５３には、ブラケット部材７０の封止筒部７３と位置整合された封止キャップ部５３ｃが形成されている。上蓋ケース５３には、上述の基板側コネクタ５１ｄ，５１ｅと位置整合されたコネクタ開口部５３ｄ，５３ｅが形成されている。
【００６１】
そして、カシメ状態で結合する接続部材５４を、上蓋ケース５３の封止キャップ部５３ｂと本体ケース５２の封止筒部５２ｃとに装着することで、上蓋ケース５３が本体ケース５２に結合されるようになっている。また、その接続部材５４を、上蓋ケース５３の封止キャップ部５３ｃとブラケット部材７０の封止筒部７３とに装着することで、上蓋ケース５３がブラケット部材７０に結合されるようになっている。
【００６２】
このようにして、主制御基板５１を組み込んだ主制御基板ユニット５０がブラケット部材７０を介し筐体２の背面側に取り付けられることになる。また、主制御基板ユニット５０の取り付け位置は、図６及び図７に示すように、回胴装置１１０が筐体２内部に押し込まれているとき、回胴装置１１０の背面側となる。
【００６３】
これにより、遊戯中等に前扉３が不正に開けられても回胴装置１１０が邪魔することになるため、回胴装置１１０が筐体２の内部から引き出されない限り、主制御基板ユニット５０のプラスチック製の上蓋ケース５３に半田ごて等の熱によって穴を開け、上述した正規のＲＯＭ５１ｂを裏ＲＯＭ又は不正ＲＯＭと呼ばれるものに差し替えられたり、不正な制御基板が収容された（上述の本体ケース５２と上蓋ケース５３とからなる）が現在使用されている基板ケース（上述の本体ケース５２と上蓋ケース５３とからなる）と差し替えられてしまうような不正行為を困難とすることができる。
【００６４】
言い換えれば、回胴装置１１０を筐体２の内部から引き出せば、正規のＲＯＭ５１ｂを裏ＲＯＭ又は不正ＲＯＭと呼ばれるものに差し替えたりする等の不正行為を行うことは可能であるが、これらの不正行為が行われるまでには、前扉３を不正に開ける行為と、回胴装置１１０を筐体２の内部から不正に引き出す行為とが必要となる。
【００６５】
そのため、遊戯中等にこれらの不正行為を行う場合、正規のＲＯＭ５１ｂを裏ＲＯＭ又は不正ＲＯＭに差し替えたりする等の行為が行われるまでに、時間がかかるばかりか、回胴装置１１０を筐体２の内部から不正に引き出すと、監視カメラによるモニタ又はホールスタッフ等によりその不正行為が発見し易くなるため、不正行為を行う者に対してその行為を思い留めさせることができる。
【００６６】
一方、少なくとも一日に一回は行われるホールスタッフ等による主制御基板５１上の各電子素子等の状態の確認に際しては、後述する把持レバー１３０を垂直位置から水平位置に回動させて台座１２０に対するロックを解除し、そのまま把持レバー１３０を引くと、回胴装置１１０を台座１２０上から引き出すことができる。
【００６７】
これにより、図４及び図５に示すように、回胴装置１１０は主制御基板ユニット５０内の主制御基板５１の確認を妨げない位置まで下げられるため、主制御基板５１上の各電子素子等の状態の確認を容易に行うことができる。なお、主制御基板５１上の各電子素子等の状態の確認を行った後は、後述のように、把持レバー１３０を介し回胴装置１１０を水平位置まで持ち上げ、さらに把持レバー１３０を介し回胴装置１１０を押し込むと、回胴装置１１０が台座１２０上に押し戻される。
【００６８】
図９〜図１２は、上述したリールユニット装置１００を説明するための図である。ここで、図９は回胴装置１１０を引き出し及び押し戻し自在とするリールユニット装置１００のフレーム体を示す斜視図、図１０は図９のフレーム体を示す側面図、図１１は図９のフレーム体を示す正面図、図１２は図９のフレーム体を示す背面図である。
【００６９】
これらの図に示すように、リールユニット装置１００は、上述した回胴装置１１０及び回胴装置１１０の基板１１５を引き出し及び押し戻し自在に載置するとともに、押し戻し位置でその基板１１５を固定する台座１２０とを備えて構成されている。ここで、回胴装置１１０の基板１１５と台座１２０とにより、スライド手段としてのフレーム体１２０Ａが構成されている。
【００７０】
ここで、図９に示すように、基板１１５の前方、すなわち、上述した前扉３の内側に近い端部には、上述したユニット板１１２，１１３，１１４を取り付けるためのボルト１１４ａの挿入穴１１６ａを有するフランジ１１６が下方に折り曲げられるようにして設けられている。また、そのフランジ１１６の両端には、回胴装置１１０の引き出し及び後述の台座１２０に対するロックを行う把持レバー１３０を回動自在に保持する保持穴１１６ｂが形成されている。また、保持穴１１６ｂの内側には、その把持レバー１３０の回動を規制する規制ピン１１６ｃが立設されている。
【００７１】
ここで、把持レバー１３０の端部には、規制ピン１１６ｃによって回動が規制される回動規制片１３１と、後述の台座１２０側のロック穴１２１ｂに係合するロック片１３２とが設けられている。すなわち、この把持レバー１３０は、図５に示すように、回動規制片１３１がフランジ１１６の前面に当接し、ロック片１３２がフランジ１１６の背面側に位置するように、フランジ１１６の保持穴１１６ｂに装着されるようになっている。
【００７２】
また、把持レバー１３０は、図１１に示すように、回動規制片１３１が規制ピン１１６ｃに当接することで、垂直位置と水平位置との間で回動が行われるように規制されている。また、図１２に示すように、把持レバー１３０を水平位置に回動させたとき、ロック片１３２が垂直方向に回動する（図１２の右側部分）。この状態では、ロック片１３２の形状とロック穴１２１ｂの形状とが一致し、ロック穴１２１ｂに対するロック片１３２の差し込み及び抜き出しが可能となる。
【００７３】
一方、把持レバー１３０を垂直位置に回動させたとき、ロック片１３２が水平方向に回動する（図１２の左側部分）。この状態では、ロック片１３２がロック穴１２１ｂの内側に係合し、ロック穴１２１ｂに対するロック片１３２の差し込み及び抜き出しが不可能となる。
【００７４】
このように、把持レバー１３０を水平位置に回動させておいて、回胴装置１１０の基板１１５を押し込んだ後、把持レバー１３０を垂直位置に回動させると、ロック片１３２がロック穴１２１ｂの背面側に係合することで、基板１１５を介し回胴装置１１０を台座１２０上に固定することができる。この状態から、把持レバー１３０を垂直位置に回動させると、ロック穴１２１ｂに対するロック片１３２の係合が外されるので、把持レバー１３０を引くと、基板１１５を介し回胴装置１１０を台座１２０上から引き出すことができる。
【００７５】
また、図９に示すように、基板１１５の両側には、ガイド軸１１７ａを有する起立片１１７が設けられている。ガイド軸１１７ａは、起立片１１７の再奧部に設けられており、後述の台座１２０側のガイド片１２６のガイド溝１２６ａに係合されて基板１１５を介した回胴装置１１０の引き出し及び押し戻しの際のガイドを行う。
【００７６】
また、基板１１５の後方、すなわち筐体２の背面側に近い端部には、上述したユニット板１１２，１１３，１１４の背面側を保持する保持片１１８が上方に起立させて設けられている。
【００７７】
一方、台座１２０の前方、すなわち、上述した前扉３の内側に近い端部には、回胴装置１１０の基板１１５の前方に設けられているフランジ１１６を把持レバー１３０のロック片１３２を介して固定する固定フランジ１２１が下方に折り曲げられるようにして設けられている。
【００７８】
固定フランジ１２１には、フランジ１１６側の挿入穴１１６ａに対応させた挿入穴１２１ａが形成されている。この挿入穴１２１ａは、フランジ１１６が固定フランジ１２１に当接したとき、挿入穴１１６ａに挿入されたボルト１１４ａの先端が固定フランジ１２１に当接しないように逃がすためのものである。
【００７９】
また、固定フランジ１２１には、フランジ１１６側に回動自在に取り付けられた把持レバー１３０のロック片１３２の起立時（垂直位置に回動）の形状に合わせたロック穴１２１ｂが形成されている。このロック穴１２１ｂは、上述したように、把持レバー１３０の回動に合わせてロック片１３２の係合等を行うものである。
【００８０】
なお、ここでは、ロック穴１２１ｂを、把持レバー１３０のロック片１３２の起立時（垂直位置に回動）の形状に合わせた場合としているが、これに限らず、ロック片１３２の水平位置の形状に合わせるようにしてもよい。この場合、把持レバー１３０のロック及びロック解除時の回動が上述した動作とは逆になる。
【００８１】
また、台座１２０の両側には、筐体２の内面にねじ止めされるねじ穴１１２ａを有する取付片１２２が上方に起立させて設けられている。また、台座１２０の後方、すなわち筐体２の背面側に近い端部には、起立片１２３と、この起立片１２３の上端部から水平に延設された延設片１２４と、この延設片１２４の端部に筐体２の背面側にねじ止めされる、上方に起立させたねじ穴１２５ａを有する取付片１２５とが設けられている。
【００８２】
また、各取付片１２２の内側には、ガイド溝１２６ａを有するガイド片１２６が回胴装置１１０の基板１１５の引き出し及び押し戻し方向に沿うように設けられている。すなわち、これらのガイド片１２６は、筐体２の内部から開口側に向けて延びるように設けられている。これらのガイド片１２６のガイド溝１２６ａには、図１０に示すように、回胴装置１１０の基板１１５の起立片１１７に設けられているガイド軸１１７ａが嵌り込み、回胴装置１１０の基板１１５の引き出し及び押し戻しをガイドするようになっている。
【００８３】
ここで、ガイド溝１２６ａの引出終了端部１２６ｂから押戻終了端部１２６ｃまでの長さは、回胴装置１１０の基板１１５の引き出し終了位置及び押し戻し終了位置に合わせられている。これにより、基板１１５側のガイド軸１１７ａがガイド溝１２６ａの引出終了端部１２６ｂに当接するまで回胴装置１１０を台座１２０上から引き出すことができる。言い換えれば、ガイド軸１１７ａがガイド溝１２６ａの引出終了端部１２６ｂ又は押戻終了端部１２６ｃに当接することで、基板１１５の引き出しの終了位置又は基板１１５の押し戻しの終了位置とが規制されていることになる。
【００８４】
これにより、基板１１５側のガイド軸１１７ａがガイド溝１２６ａの引出終了端部１２６ｂに当接することで、回胴装置１１０の引き出し終了位置を確認することができるとともに、ガイド軸１１７ａがガイド溝１２６ａから外れてしまうようなことがなくなる。
【００８５】
これに対し、基板１１５側のガイド軸１１７ａがガイド溝１２６ａの押戻終了端部１２６ｃに当接するまで回胴装置１１０を台座１２０上に押し戻すことができる。このとき、ガイド軸１１７ａがガイド溝１２６ａの押戻終了端部１２６ｃに当接することで、回胴装置１１０の押し戻し終了位置を確認することができる。
【００８６】
また、ガイド溝１２６ａの引出終了端部１２６ｂは、台座１２０の面より突出する位置となるように設けられているため、ガイド軸１１７ａが引出終了端部１２６ｂに係合することで、基板１１５の水平位置から下方位置への回動が許容されるようになっている。これにより、回胴装置１１０の基板１１５の引き出し終了位置では、回胴装置１１０が若干下げられるので、ホールスタッフ等により主制御基板５１上の各電子素子等の状態の確認がし易くなる。
【００８７】
次に、上述したリールユニット装置１００における回胴装置１１０の引き出し及び押し戻しについて、図１３及び図１４を参照しながら説明する。ここで、図１３は前扉３を開放してリールユニット装置１００の回胴装置１１０を引き出した状態のスロットマシン１を示す斜視図、図１４は図１３のスロットマシン１を示す側面図である。
【００８８】
まず、ホールスタッフ等が主制御基板５１上の各電子素子等の状態の確認を含むメンテナンス作業や出玉管理作業等を行う場合、前扉３のロックを専用鍵を用いて解除すると、図１及び図２に示したように前扉３が開放される。
【００８９】
ここで、主制御基板５１上の各電子素子等の状態の確認を行う場合、前扉３を開放した後、上述した把持レバー１３０を垂直位置から水平位置に回動させる。これに伴い、台座１２０側のロック穴１２１ｂに対する把持レバー１３０のロック片１３２の係合が外されるので、把持レバー１３０を引くと、図１３に示すように、基板１１５を介し回胴装置１１０を台座１２０上から引き出すことができる。
【００９０】
このとき、上述した回胴装置１１０の基板１１５の両側の起立片１１７に設けられているガイド軸１１７ａが台座１２０側のガイド片１２６のガイド溝１２６ａに係合されつつガイドされることで、基板１１５を介し回胴装置１１０の台座１２０上からの引き出しが行われる。
【００９１】
なお、回胴装置１１０の台座１２０上からの引き出しは、上述したように、基板１１５側のガイド軸１１７ａがガイド溝１２６ａの引出終了端部１２６ｂに当接するまで可能である。そして、基板１１５側のガイド軸１１７ａがガイド溝１２６ａの引出終了端部１２６ｂに当接するまで回胴装置１１０を引き出すと、回胴装置１１０の引き出し終了位置を確認することができる。
【００９２】
この位置では、基板１１５側のガイド軸１１７ａがガイド溝１２６ａの引出終了端部１２６ｂに当接していることで、ガイド軸１１７ａがガイド溝１２６ａから外れてしまうようなことがなくなる。
【００９３】
また、この位置では、図１４に示すように、回胴装置１１０が主制御基板５１の確認を妨げない位置まで下げられるため、通常、回胴装置１１０の背面側に位置している主制御基板５１上の各電子素子等の状態の確認を行うことができる。
【００９４】
このような主制御基板５１上の各電子素子等の状態の確認を行っている最中では、把持レバー１３０を持って回胴装置１１０を支えるようにすることで、台座１２０側のガイド片１２６のガイド溝１２６ａに係合されている基板１１５側のガイド軸１１７ａに集中する回胴装置１１０の重みを軽減できるため、ガイド軸１１７ａがガイド片１２６のガイド溝１２６ａから外れてしまうようなことがない。
【００９５】
一方、主制御基板５１上の各電子素子等の状態の確認を終えた後、回胴装置１１０を筐体２の内部に押し戻す場合、まずガイド片１２６のガイド溝１２６ａに係合されているガイド軸１１７ａを支点として把持レバー１３０を介し回胴装置１１０を水平位置まで持ち上げる。
【００９６】
次いで、把持レバー１３０を介し回胴装置１１０を押し込むと、上記同様に、回胴装置１１０の基板１１５側のガイド軸１１７ａが台座１２０側のガイド片１２６のガイド溝１２６ａに係合されつつガイドされることで、基板１１５を介し回胴装置１１０が台座１２０上に押し戻される。
【００９７】
そして、基板１１５側のガイド軸１１７ａがガイド溝１２６ａの押戻終了端部１２６ｃに当接する直前までくると、把持レバー１３０のロック片１３２が台座１２０側のロック穴１２１ｂを通過する。この状態から回胴装置１１０をさらに押し込むと、基板１１５側のガイド軸１１７ａがガイド溝１２６ａの押戻終了端部１２６ｃに当接することで、回胴装置１１０の台座１２０上への押し戻し終了位置を確認することができる。この位置では、把持レバー１３０のロック片１３２がロック穴１２１ｂの背面側にすり抜けているため、把持レバー１３０を水平位置から垂直位置に回動させると、ロック片１３２がロック穴１２１ｂの背面側に係合することで、基板１１５を介し回胴装置１１０が台座１２０上に固定される。
【００９８】
このように、回胴装置１１０の引き出し及び押し戻しは、把持レバー１３０の水平位置と垂直位置での回動に伴う台座１２０側のロック穴１２１ｂに対する基板１１５側のロック片１３２の係合及び係合解除とともに行われる。
【００９９】
これにより、遊戯中等に前扉３が不正に開けられても回胴装置１１０が邪魔することになるため、回胴装置１１０が筐体２の内部から引き出されない限り、主制御基板ユニット５０のプラスチック製の上蓋ケース５３に半田ごて等の熱によって穴を開け、上述した正規のＲＯＭ５１ｂを裏ＲＯＭ又は不正ＲＯＭと呼ばれるものに差し替えたり不正行為を困難とすることができる。
【０１００】
言い換えれば、回胴装置１１０を筐体２の内部から引き出せば、正規のＲＯＭ５１ｂを裏ＲＯＭ又は不正ＲＯＭと呼ばれるものに差し替えたりする等の不正行為を行うことは可能であるが、正規のＲＯＭ５１ｂを裏ＲＯＭ又は不正ＲＯＭに差し替えたりする等の行為が行われるまでには、前扉３を不正に開ける行為と、回胴装置１１０を筐体２の内部から不正に引き出す行為とが必要となる。
【０１０１】
そのため、遊戯中等にこれらの不正行為を行う場合、正規のＲＯＭ５１ｂを裏ＲＯＭ又は不正ＲＯＭに差し替えたりする等の行為が行われるまでに、時間がかかるばかりか、回胴装置１１０を筐体２の内部から不正に引き出すと、監視カメラによるモニタ又はホールスタッフ等によりその不正行為が発見し易くなるため、不正行為を行う者に対してその行為を思い留めさせることができる。
【０１０２】
このように、本実施例では、リールユニット装置１００のスライド手段であるフレーム体１２０Ａを、回胴装置１１０の基板１１５と筐体２内部に固定される台座１２０とで構成し、そのスライド手段により、回胴装置１１０が少なくとも主要ＲＯＭである検査済みの正規のＲＯＭ５１ｂを搭載している主制御基板５１の確認を妨げる位置とその主制御基板５１の確認を妨げない位置との間でスライド自在とされるようにし、正規のＲＯＭ５１ｂが裏ＲＯＭ又は不正ＲＯＭと呼ばれるものに不正に差し替えられたり、不正な制御基板が収容された（上述の本体ケース５２と上蓋ケース５３とからなる）が現在使用されている基板ケース（上述の本体ケース５２）と差し替えられたりするまでに、前扉３を不正に開ける行為と、回胴装置１１０を筐体２の内部から不正に引き出す行為とが必要となるようにしたので、不正行為を行う者に対しその行為を思い留めさせることができることから、少なくとも一日に一回は行われる主制御基板５１上の各電子素子等の状態の確認作業を阻害することなく、正規のＲＯＭ５１ｂが裏ＲＯＭ又は不正ＲＯＭと呼ばれるものに不正に差し替えられてしまうことや、不正な制御基板が収容された基板ケースが現在使用されている基板ケースと差し替えられてしまうような不正行為をより確実に防止できる。
【０１０３】
また、本実施例では、スライド手段を、回胴装置１１０の基板１１５と筐体２内部に固定される台座１２０とで構成しているので、既存のスロットマシン１に比べると、筐体２の内部には少なくとも台座１２０が追加されることになるが、その台座１２０は回胴装置１１０の基板１１５を引き出し及び押し戻し自在に載置する板状とすることができることから、既存の筐体２の寸法を変更しなくても、内部に収容される既存の回胴装置１１０、ホッパ装置３０及び主電源装置６０等の配置スペースを阻害することがないようにすることができる。
【０１０４】
また、本実施例では、台座１２０に筐体２の内部から開口側に向けて延びるガイド溝１２６ａを有するガイド片１２６を並設し、基板１１５の両側の起立片１１７にガイド溝１２６ａに係合して引き出し方向及び押し戻し方向にガイドされるガイド軸１１７ａが設けるようにしたので、基板１１５上の回胴装置１１０を筐体２の内部から取り外すことなく引き出し及び押し戻しを行うことができる。
【０１０５】
また、本実施例では、基板１１５にロック片１３２を有する把持レバー１３０を垂直位置と水平位置との間で回動自在となるように取り付け、台座１２０にはロック片１３２を係合するロック穴１２１ｂを設け、基板１１５が台座１２０の所定位置に押し戻されるとき、ロック片１３２がロック穴１２１ｂを通過し、把持レバー１３０をたとえば水平位置から垂直位置又に回動させると、ロック片１３２がロック穴１２１ｂの背面側に係合されるようにしたので、把持レバー１３０から手を離すことなく、ロック片１３２によるロックとロック解除とを行うことができる。
【０１０６】
また、本実施例では、ガイド溝１２６ａの引出終了端部１２６ｂから押戻終了端部１２６ｃまでの長さを、回胴装置１１０の基板１１５の引き出し終了位置及び押し戻し終了位置に合わせるようにし、基板１１５の引き出し又は押し戻しに伴いガイド軸１１７ａが引出終了端部１２６ｂ又は押戻終了端部１２６ｃに当接することで、基板１１５の引き出しの終了位置又は押し戻しの終了位置とを規制するようにしたので、回胴装置１１０の引き出し及び押し戻しに伴うそれぞれの終了位置の確認を容易に行うことができる。
【０１０７】
また、本実施例では、ガイド溝１２６ａの引出終了端部１２６ｂを台座１２０の面より突出する位置となるようにし、ガイド軸１１７ａが引出終了端部１２６ｂに係合することで、基板１１５の水平位置から下方位置への回動が許容されることから、回胴装置１１０の基板１１５の引き出し終了位置では回胴装置１１０が若干下げられることになり、ホールスタッフ等による主制御基板５１上の各電子素子等の状態の確認を容易に行うことができる。
【産業上の利用可能性】
【０１０８】
スロットマシンに限らず、たとえばアーケードゲーム機等のように、前面側に開口を有する箱形の筐体と、筐体の前面側に開口を覆う閉止位置から開閉自在に取り付けられた前扉と、筐体の内部に設けられて各部の動作を集中制御するような制御基板とを備え、前扉が開口を覆う状態で制御基板が外部から隔離されているような遊技機にも適用可能である。
【図面の簡単な説明】
【０１０９】
【図１】本発明の遊技機を並設させた、いわゆる遊技機島を示す平面図である。
【図２】図１の遊技機を示す斜視図である。
【図３】図２の遊技機の前扉及び筐体の一部を省いた場合の斜視図である。
【図４】図２及び図３の回胴装置を引き出した状態を示すスロットマシンの斜視図である。
【図５】図４のスロットマシンを示す正面図である。
【図６】図４及び図５の回胴装置１１０を押し戻した状態を示すスロットマシンの側面図である。
【図７】図６のスロットマシンを示す正面図である。
【図８】図２及び図３のスロットマシンの筐体内部で回胴装置の背面側に取り付けられる主制御基板を組み込んだ主制御基板ユニットの概要を説明するための分解斜視図である。
【図９】図２及び図３の回胴装置を引き出し及び押し戻し自在とするリールユニットのフレーム体を示す斜視図である。
【図１０】図９のフレーム体を示す側面図である。
【図１１】図９のフレーム体を示す正面図である。
【図１２】図９のフレーム体を示す背面図である。
【図１３】図２及び図３のリールユニットにおける回胴装置の引き出し及び押し戻しについて説明するための斜視図である。
【図１４】図２及び図３のリールユニットにおける回胴装置の引き出し及び押し戻しについて説明するための側面図である。
【符号の説明】
【０１１０】
１  スロットマシン
２  筐体
３  前扉
３０  ホッパ装置
３１  補助貯留部
４０  コイン貸出機
５０  主制御基板ユニット
５１  主制御基板
５１ａ  ＭＰＵ
５１ｂ  ＲＯＭ
５１ｃ  ＲＡＭ
５２  本体ケース
５３  上蓋ケース
６０  主電源装置
７０  ブラケット部材
１００  リールユニット装置
１１０  回胴装置
１１１ａ，１１１ｂ，１１１ｃ  リール
１１２，１１３，１１４  ユニット板
１１５  基板
１１５ａ  天板
１１６  フランジ
１１６ｂ  保持穴
１１６ｃ  規制ピン
１１７  起立片
１１７ａ  ガイド軸
１１８  保持片
１２０  台座
１２０Ａ  フレーム体
１２１  固定フランジ
１２１ｂ  ロック穴
１２２  取付片
１２３  起立片
１２４  延設片
１２５  取付片
１２６  ガイド片
１２６ａ  ガイド溝
１２６ｂ  引出終了端部
１２６ｃ  押戻終了端部
１３０  把持レバー
１３１  回動規制片
１３２  ロック片
【図１】
2008167769.tif 000003
【図２】
2008167769.tif 000004
【図３】
2008167769.tif 000005
【図４】
2008167769.tif 000006
【図５】
2008167769.tif 000007
【図６】
2008167769.tif 000008
【図７】
2008167769.tif 000009
【図８】
2008167769.tif 000010
【図９】
2008167769.tif 000011
【図１０】
2008167769.tif 000012
【図１１】
2008167769.tif 000013
【図１２】
2008167769.tif 000014
【図１３】
2008167769.tif 000015
【図１４】
2008167769.tif 000016